(57)【要約】【課題】電気部品装置の内部導体に外部導体を締結部材により締結する作業時に、締結部材がケース内部に落下するのを簡易な構造で防止することができるようにする。【解決手段】電気部品及びバスバー２が収容されるケース１と、ケースの壁面に設けられバスバー２に外部から挿入されるコネクタ端子７をケース外からボルト８により締結する締結用開口１０と、締結用開口を塞ぐカバー部材１１と、カバー部材が締結用開口に装着されたことを検知する嵌合検知コネクタ１５とを備え、嵌合検知コネクタは、ケース内部に固定して設けられた受コネクタ１６と、受コネクタに対向させて互いに挿脱可能にカバー部材に設けられた挿脱コネクタ１７とからなり、締結用開口１０は、締結部における重力方向に直交する方向のケースの壁面に設けられ、受コネクタ１６は、バスバー２とコネクタ端子７の締結部の重力方向の下方に位置させて、ケースの内壁面近傍にまで広がる締結部材受け面部２３ａを有して形成されている。【選択図】  図１
2015012026.tif 000002
【特許請求の範囲】
【請求項１】
電気部品及び該電気部品に接続された内部導体が収容されるケースと、前記ケースの壁面に設けられ前記内部導体に外部から挿入される外部導体をケース外から締結部材により締結する締結用開口と、前記締結用開口を塞ぐカバー部材と、前記カバー部材が前記締結用開口に装着されたことを検知する嵌合検知コネクタとを備え、前記嵌合検知コネクタは、前記ケース内部に固定して設けられた受コネクタと、該受コネクタに対向させて互いに挿脱可能に前記カバー部材に設けられた挿脱コネクタとからなる電気部品装置であって、
前記締結用開口は、前記締結部における重力方向に直交する方向の前記ケースの壁面に設けられ、
前記受コネクタは、前記内部導体と前記外部導体との締結部の重力方向の下方に位置させて、前記ケースの内壁面近傍にまで広がる前記締結部材の受け面を有して形成されてなる電気部品装置。
【請求項２】
前記外部導体は、前記ケースの壁面に設けられた開口に装着される外部コネクタに保持されてなることを特徴とする請求項１に記載の電気部品装置。
【発明の詳細な説明】
【技術分野】
【０００１】
本発明は、電気部品装置に係り、特に、電気部品が収容されたケース内でケース壁面の開口から締結部材を挿入して、ケース内部で２以上の導体を共締めにより締結する構造を備えた電気部品装置に関する。
【背景技術】
【０００２】
かかる構造を備えた電気部品装置は、例えば、特許文献１に記載されているように、内部導体であるバスバーと外部導体であるコネクタ端子とを、締結部材であるボルトで締結する際に、誤ってボルトをケース内に落としてしまうことがある。その場合、例えばケースの底部までボルトが落下してしまうと、容易に取ることができないという問題があった。そこで、同文献１では、締結部材を挿入するケースの壁面に設けた締結用開口から内部導体とコネクタ端子との締結部に至る空間に筒状の落下防止部材を設けて、ボルトがケースの底部まで落下しないようにすることが提案されている。
【先行技術文献】
【特許文献】
【０００３】
【特許文献１】特開２０１１−１８７９３３号公報
【発明の開示】
【発明が解決しようとする課題】
【０００４】
しかし、特許文献１に記載された落下防止部材は落下防止用の専用部品であるから、ケース内部に支持させるための支持部を別途設ける必要があり、ケース内部の構造部品が多くなるという問題がある。
【０００５】
本発明が解決しようとする課題は、電気部品装置の内部導体に外部導体を締結部材により締結する作業時に、締結部材がケース内部に落下するのを簡易な構造で防止することができるようにすることにある。
【課題を解決するための手段】
【０００６】
上記の課題を解決するため、本発明は、電気部品及び該電気部品に接続された内部導体が収容されるケースと、前記ケースの壁面に設けられ前記内部導体に外部から挿入される外部導体をケース外から締結部材により締結する締結用開口と、前記締結用開口を塞ぐカバー部材と、前記カバー部材が前記締結用開口に装着されたことを検知する嵌合検知コネクタとを備え、前記嵌合検知コネクタは、前記ケース内部に固定して設けられた受コネクタと、該受コネクタに対向させて互いに挿脱可能に前記カバー部材に設けられた挿脱コネクタとからなる電気部品装置であって、前記締結用開口は、前記締結部における重力方向に直交する方向の前記ケースの壁面に設けられ、前記受コネクタは、前記内部導体と前記外部導体との締結部の重力方向の下方に位置させて、前記ケースの内壁面近傍にまで広がる前記締結部材の受け面を有して形成されてなることを特徴とする。
【０００７】
この場合において、前記外部導体は、前記ケースの壁面に設けられた開口に装着される外部コネクタに保持されたものとすることができる。
【０００８】
本発明によれば、カバー部材が締結用開口に装着されたことを検知する嵌合検知コネクタのコネクタ受部を、内部導体と外部導体との締結部の重力方向の下方に位置させて、かつケースの内壁面近傍にまで広がる締結部材の受け面を有して形成しているから、落下防止部品として別途設けることなく、電気部品装置の内部導体に外部導体を締結部材により締結する作業時に、締結部材がケース内部に落下するのを簡易な構造で防止することができる。
【発明の効果】
【０００９】
本発明によれば、電気部品装置の内部導体に外部導体を締結部材により締結する作業時に、締結部材がケース内部に落下するのを簡易な構造で防止することができる。
【図面の簡単な説明】
【００１０】
【図１】本発明の電気部品装置の一実施例の要部を断面にして示す図である。
【図２】図１実施例の組み立て手順を説明する図であり、（ａ）は図１と同一位置における断面図、（ｂ）は図１の矢視ＩＩｂ−ＩＩｂから見た断面矢視図である。
【図３】図１実施例の組み立て手順を説明する外観図であり、（ａ）はカバーを取り付ける前の状態を示し、（ｂ）はカバーを取り付けた状態を示す図である。
【発明を実施するための形態】
【００１１】
以下、本発明の電気部品装置を図１〜図３に示した実施例に基づいて説明する。図１は、電源分配器に本発明を適用した一実施例の要部を断面にして示す図である。本発明は、電源分配器に限らず、電気部品及び該電気部品に接続された内部導体が収容されるケースと、ケースの壁面に設けられ外部から挿入される外部導体と内部導体とをケース外から締結部材により締結する締結用開口と、締結用開口を塞ぐカバー部材と、カバー部材が締結用開口に装着されたことを検知する嵌合検知コネクタとを備えてなる電気部品装置に適用できる。
【００１２】
本実施例の電源分配器は、図１〜図３に示すように、樹脂や金属製のケース１を備えて形成されている。本実施例のケース１は直方体の箱状に形成されているが、ケース１の形状は本実施例に限られるものではない。ケース１内には図示していない電気部品である電源分配回路部品が収容されている。また、図示していない電源分配回路部品には、内部導体である一対のバスバー２が接続されている。各バスバー２には、図示していないが貫通穴が形成され、各貫通穴の図において右側に被締結部材に相当するナット３が固定して設けられている。また、ケース１の上壁面には開口４が形成され、この開口４には、図示していない電源に接続された外部コネクタ５の端子保持部６が挿入されて装着されるようになっている。
【００１３】
外部コネクタ５の端子保持部６の下面から外部導体である一対のコネクタ端子７が垂下して設けられている。各コネクタ端子７には締結部材であるボルト８が挿通される貫通孔が形成されている。そして、ボルト８をナット３に螺合することによって、各バスバー２と各コネクタ端子７とを締結して電気的に接続するようになっている。
【００１４】
各バスバー２と各コネクタ端子７の締結部における重力方向に直交する方向のケース１の壁面の締結部に対向する位置に、ボルト８を各バスバー２と各コネクタ端子７の各貫通穴に挿入してナット３に螺合することにより、それらを締結する作業用の開口である締結用開口１０が形成されている。締結用開口１０は、不用意に各バスバー２や各コネクタ端子７に触れて感電したり、あるいは防水のために、絶縁樹脂からなるカバー部材１１が装着されるようになっている。
【００１５】
締結用開口１０は、図３（ａ）に示すように円形の開口に形成されている。これに合わせてカバー部材１１は、円筒状の挿入部１２と、挿入部１２の連設された菱形状のフランジ１３を備えて形成されている。挿入部１２の外周面に形成された溝内に、防水用のリングパッキン１４が装着されている。そして、カバー部材１１の図において下部に、カバー部材１１が締結用開口１０に装着されたことを検知する嵌合検知コネクタ１５が設けられている。
【００１６】
嵌合検知コネクタ１５は、互いに嵌合可能な一対のコネクタにより形成され、ケース１の内部に固定して設けられた受コネクタ１６と、受コネクタ１６に対向させて互いに挿脱可能にカバー部材１１に設けられた挿脱コネクタ１７とから形成されている。受コネクタ１６は、筒状のハウジング１８内に嵌合検知導体１９が収容され、挿脱コネクタ１７が挿脱される側の先端が開口されている。挿脱コネクタ１７は、一対の検知電極２０ａ，ｂを保持してカバー部材１１の挿入部１２に一体に形成されている。一対の検知電極２０ａ，ｂの一端は、挿脱コネクタ１７の筒状部２１に形成された空間部に位置された外部端子２２ａ、ｂに接続されている。外部端子２２ａ、ｂは、筒状部２１の先端開口から挿入される図示していない電線により嵌合検知信号を引き出すように形成されている。すなわち、カバー部材１１を図２（ａ）に示すように締結用開口１０に装着すると、挿脱コネクタ１７が受コネクタ１６に嵌合される。これにより、一対の検知電極２０ａ，ｂが嵌合検知導体１９により導通され、その導通信号が嵌合検知信号として外部端子２２ａ、ｂから外部に引き出されるようになっている。
【００１７】
受コネクタ１６の嵌合検知導体１９が収容されたハウジング１８の基部は、図２（ｂ）に示すように、角筒状に形成された受コネクタ保持部材２３に装着されている。特に、受コネクタ保持部材２３の図において上面は、受コネクタ保持部材２３の縁部を伸長して平板状の締結部材受け面部２３ａが形成されている。締結部材受け面部２３ａは、バスバー２とコネクタ端子７との締結部の重力方向の下方に位置させて、ケース１の内壁面近傍にまで伸長して広げて形成されている。また、締結部の重力方向の下端と、締結部材受け面部２３ａとの間隙は締結部材であるボルト８よりも小さく形成されている。そして、受コネクタ１６は、ケース１の内部の側壁に固定された支持部材２４に締結部材受け面部２３ａをボルト２５により固定して支持されている。
【００１８】
このように構成される本実施例によれば、図１〜図３において、受コネクタ１６を支持部材２４に固定し、コネクタ端子７をバスバー２に位置合せしながら外部コネクタ５をケース１に装着する。そして、締結用開口１０からボルト８を挿入してコネクタ端子７とバスバー２の貫通穴に挿し込み、ナット３にボルト８を螺合して締め付ける。これにより、コネクタ端子７とバスバー２を共締めにより締結することができる。このとき、万が一、誤ってボルト８を落下させても、受コネクタ１６の締結部材受け面部２３ａに受け止められるから、ケース１の底まで落下するのを防止できる。コネクタ端子７とバスバー２を締結後、カバー部材１１を締結用開口１０に装着すると同時に、挿脱コネクタ１７を受コネクタ１６に嵌合させる。そして、図３（ａ）、（ｂ）に示すように、フランジ１３をケース１の外壁に形成された有底のネジ孔２６にボルト２７を螺入して、カバー部材１１をケース１に固定する。また、カバー部材１１が締結用開口１０に装着されると、嵌合検知コネクタ１５の外部端子２０ａ、ｂから嵌合検知信号が、電源側に出力される。これにより、安全を確認したうえで本実施例の電源分配器に電源の供給が許容される。
【００１９】
以上説明したように、本実施例によれば、カバー部材１１が締結用開口１０に装着されたことを検知する嵌合検知コネクタ１５の受コネクタ１６を、バスバー２とコネクタ端子７の締結部の重力方向の下方に位置させて、かつケース１の内壁面近傍にまで広がる締結部材受け面部２３ａを有して形成しているから、落下防止部品を別途設けることなく、電気部品装置の内部導体であるバスバー２に外部導体であるコネクタ端子７を締結部材であるボルト８により締結する作業時に、ボルト８がケース１内部に落下するのを簡易な構造で防止することができる。
【００２０】
以上、本発明を一実施例に基づいて説明したが、本発明はこれらに限定されるものではなく、本発明の主旨の範囲で変形又は変更された形態で実施することが可能であることは、当業者にあっては明白なことであり、そのような変形又は変更された形態が本願の特許請求の範囲に属することは当然のことである。
【符号の説明】
【００２１】
１  ケース
２  バスバー
３  ナット
５  外部コネクタ
７  コネクタ端子
８  ボルト
１０  締結用開口
１１  カバー部材
１５  嵌合検知コネクタ
１６  受コネクタ
１７  挿脱コネクタ
１８  ハウジング
２３  受けコネクタ保持部材
２３ａ  締結部材受け面部
【図１】
2015012026.tif 000003
【図２】
2015012026.tif 000004
【図３】
2015012026.tif 000005